(57)【要約】【課題】書き換えることにより繰り返し利用することができる複数の記録表示媒体に、連続的に、高速で画像を書き込むことができるとともに、書き込んだ画像表示の信頼性が高い書込装置、およびその画像書込装置に用いる記録表示媒体を提供する。【解決手段】対向する電極間に画像を不揮発的に表示する表示層が挟まれてなる記録表示媒体７を搬送する搬送部１２と、記録表示媒体７の電極に電気的に接触する接触部２３と、電極が接触部に接触した記録表示媒体７の表示層に画像を書き込む書込部３２とを備えた。【選択図】　図２
2004109937.tif 000002
【特許請求の範囲】
【請求項１】
対向する電極間に画像が不揮発的に表示される表示層が挟まれてなる記録表示媒体を搬送する搬送部と、前記記録表示媒体の前記電極に電気的に接触する接触部と、前記電極が前記接触部に接触した前記記録表示媒体の前記表示層に画像を書き込む書込部とを備えたことを特徴とする画像書込装置。
【請求項２】
前記搬送部により搬送される前記記録表示媒体の姿勢を前記接触部が前記電極に接触する前に調整する姿勢制御部を備えたことを特徴とする請求項１記載の画像書込装置。
【請求項３】
前記電極は、前記表示層を挟んで対向する走査電極およびデータ電極からなるマトリックス電極であって、
前記書込部は、前記接触部に画像を表わす信号に基づく電圧を印加することにより、前記走査電極およびデータ電極の任意の交点により形成される画素に画像を書き込むものであるものであることを特徴とする請求項１記載の画像書込装置。
【請求項４】
前記記録表示媒体は、前記電極間に、前記表示層のほかさらに光の照射により抵抗値が変化する光スイッチング層を挟んでなるものであり、
前記搬送部により搬送される前記記録表示媒体を、該記録表示媒体の前記電極が前記接触部に接触する位置で静止させる記録表示媒体静止部と、
前記電極に接触した前記接触部に、所定の電圧を印加する電圧印加部とを備え、
前記書込部は、前記電極が前記接触部に接触した前記記録表示媒体の前記光スイッチング層に画像を表わす光を照射することにより、前記表示層に画像を書き込むものであることを特徴とする請求項１記載の画像書込装置。
【請求項５】
記録表示媒体静止部が前記位置で静止させた記録表示媒体のカールを、前記光スイッチング層に前記書込部から前記光が照射される前に矯正する矯正部を備えたことを特徴とする請求項４記載の画像書込装置。
【請求項６】
前記光スイッチング層を上向きもしくは下向きにした複数の記録表示媒体を収納するトレイを備え、
前記電圧印加部は、前記トレイの最上部もしくは最下部に収納された記録表示媒体の前記電極に接触する接触部に、前記電圧を印加するとともに、
前記書込部は、光を結像させる結像光学系を具備し、前記接触部に接触した記録表示媒体の前記光スイッチング層に、該光学系で結像させた画像を表わす光を照射するものであることを特徴とする請求項４記載の画像書込装置。
【請求項７】
前記光スイッチング層を上向きにした複数の記録表示媒体を収納するトレイを備え、
前記電圧印加部は、前記トレイの最上部に収納された記録表示媒体の前記電極に接触する接触部に、前記電圧を印加するとともに、
前記書込部は、指向性を有する光を照射する光学系を具備し、前記接触部に接触した記録表示媒体の前記光スイッチング層に、該光学系から画像を表わす指向性を有する光を照射するものであることを特徴とする請求項４記載の画像書込装置。
【請求項８】
前記表示層に画像が書き込まれた表示記録媒体を所定の排出位置に排出する排出部を備えたことを特徴とする請求項６記載の画像書込装置。
【請求項９】
前記記録表示媒体は、対向する一対の基板それぞれの内面に前記電極が形成されたものであって、該一対の基板のうちの何れか一方の外面に、該電極に導通する接触端子を有するものであることを特徴とする請求項４又は６記載の画像書込装置。
【請求項１０】
前記記録表示媒体は、対向する一対の基板それぞれの内面に前記電極が形成されたものであって、該一対の基板それぞれの外面に、対向する基板の内面に形成された電極に導通する接触端子を有するものであることを特徴とする請求項４又は６記載の画像書込装置。
【請求項１１】
前記記録表示媒体は、前記何れか一方の外面又はそれぞれの外面の、前記搬送部により搬送される搬送方向の後部側の側端に、前記接触端子を有するものであることを特徴とする請求項９又は１０記載の画像書込装置。
【請求項１２】
前記記録表示媒体は、前記何れか一方の外面又はそれぞれの外面の、前記搬送部により搬送される搬送方向の後部側の左右対称な位置に、前記接触端子を有するものであることを特徴とする請求項９又は１０記載の画像書込装置。
【請求項１３】
対向する一対の基板それぞれの内面に形成された電極間に、画像を表す表示層と光の照射により抵抗値が変化する光スイッチング層とが積層されてなる記録表示媒体であって、
前記一対の基板の何れか一方の外面に、前記電極に導通する接触端子を有するものであることを特徴とする記録表示媒体。
【請求項１４】
対向する一対の基板それぞれの内面に形成された電極間に、画像を表す表示層と光の照射により抵抗値が変化する光スイッチング層とが積層されてなる記録表示媒体であって、
前記一対の基板それぞれの外面に、対向する基板の内面に形成された電極に導通する接触端子を有するものであることを特徴とする記録表示媒体。
【請求項１５】
前記一対の基板の何れか一方の外面又は前記一対の基板それぞれの外面の、１辺の端寄りの位置に、前記接触端子を有するものであることを特徴とする請求項１３は１４記載の記録表示媒体。
【請求項１６】
前記一対の基板の何れか一方の外面又は前記一対の基板それぞれの外面の、対向する両辺の、端寄りの対称な位置に、前記接触端子を有するものであることを特徴とする請求項１３又は１４記載の記録表示媒体。
【発明の詳細な説明】
【０００１】
【発明の属する技術分野】
本発明は、共に電極が形成された１対の基板間に画像を表す表示層が積層された記録表示媒体に画像を書き込む画像書込装置に関する。
【０００２】
【従来の技術】
近年、情報の伝達媒体として、紙媒体や電子ディスプレイデバイスのほかに、メモリ性のある表示素子を用いた記録表示媒体が注目されている。この記録表示媒体は、共に電極が形成された１対の基板間に、情報を表示する表示層などが積層されたものであり、デジタル情報や画像情報を表示することが可能な情報表示機能、無電源状態でも表示情報を保持することが可能なメモリ機能、書き込んだ情報を消去し再利用することが可能な書換え機能を有する。また、この記録表示媒体は、フレキシブルで、軽量であるという物性を有することから、情報を書き込む装置により情報が書き込まれた後、その書込み装置から切り離され、紙媒体のように携帯したり、手に持って書き込まれた情報を読むことができるという特長がある。
【０００３】
このような表示媒体は、例えば“電子ペーパー”と称され、電子新聞や電子ブックなどヘの適用や、行政サービスにおける住民票の配信などへの適用が検討されている。
【０００４】
この“電子ペーパー”を構成する、メモリ性のある表示素子として、電気泳動素子、電界回転素子、マイクロカプセル、あるいはコレステリック液晶などのメモリ性液晶等が検討されている。
【０００５】
図１は、電極により分類した記録表示媒体のタイプを示す図である。
図１（ａ）は、マトリックスタイプで、表示層１を挟んで対向する基板２の内面それぞれにストライプ状の複数の電極３が形成され、表示層１を挟んで対向する複数の電極３は互いに直交するように配置されている。
【０００６】
図１（ｂ）は、１電極タイプで、表示層１を挟んで対向する基板２のうちの一方の基板２の内面に電極４が形成されている。
【０００７】
図１（ｃ）は、無電極タイプで、表示層１を基板２で挟んだもので、電極を持たない。
【０００８】
図１（ｄ）は、光書込みタイプで、表示層１と光スイッチング層５とを挟んで対向する基板の内面それぞれに全面電極４が形成されている。
【０００９】
マトリックスタイプの記録表示媒体を用いる例としては、例えば、Ｘ列、Ｙ行の２次元マトリックス状に配列された電極に、あるタイミングで、所定の電圧を印加し、その２次元マトリックスの交点に位置する画素の状態をＯＮ、ＯＦＦ制御して情報を書き込む装置がある（特許文献１参照）。
【００１０】
このタイプの記録表示媒体は、液晶表示装置に一般的に用いられている。このタイプの記録表示媒体は、画素数に応じて２次元マトリックス状に配列された電極が必要になる。したがって、例えば、６４０×４８０画素数をもつＶＧＡ（ｖｉｄｅｏ　ｇｒａｐｈｉｃｓ　ａｒｒａｙ）タイプのパネルの場合は、モノクロ表示においても最低１１２０本必要になる。
【００１１】
そこで、配列された電極の数を減らすため、記録表示媒体に表示する情報をデータとして受信する受信手段と、受信したデータを、記録表示媒体に表示するための駆動データに変換して表示する表示手段とを記録表示媒体側に持たせる方法が考えられる。
【００１２】
１電極タイプの記録表示媒体を用いる例としては、例えば、１次元ヘッドに直交する方向に記録表示媒体を搬送し、１次元ヘッドから記録表示媒体に電気的あるいは熱的なエネルギーを加えることにより情報を書き込むヘッド書き込み型装置がある（特許文献２参照）。
【００１３】
このヘッド書き込み型装置は、記録表示媒体に形成された１電極に表示層を挟んで対向配置された電気ヘッドが、記録表示媒体に形成された１電極に対向する他方の電極を構成するもので、電気ヘッドと記録表示媒体の１電極との間に生じた電界、又は電流、さもなければ電流により発生するジュール熱で表示層に情報を記録するものである。
【００１４】
電気泳動を利用した記録表示媒体や、マイクロカプセル化した液晶、またはバインダに含有させ塗布した液晶を表示素子とする記録表示媒体では、電気ヘッドと記録表示媒体の１電極との間に電圧を印加することにより情報を記録する。
無電極タイプの記録表示媒体を用いる例としては、例えば、サーマルヘッドを用いるヘッド書き込み型装置がある（特許文献３参照）。
【００１５】
サーマルヘッドは、ヘッドにある発熱体に流す電流を制御することにより記録表示媒体に加える熱量を制御するものである。無電極タイプの記録表示媒体の表示層は、例えば、ロイコ染料のように熱可逆性を有する着色材料で形成され、この表示層にサーマルヘッドから、情報を表す、制御された熱が印加されるとその情報がカラー表示される。
【００１６】
光書込みタイプの記録表示媒体を用いる例としては、例えば、エルグラフィー技術（非特許文献１、非特許文献２参照）や、書き換え可能なプリンタ（特許文献４参照）がある。
【００１７】
光書込みタイプの記録表示媒体は、一対の電極で表示素子と光スイッチング素子とが挟持された構造をなしている。光画像書込み装置は、電圧印加部と、露光部とを有し、電圧印加部から一対の電極に駆動電圧を印加するとともに、露光部から光スイッチング素子に情報を表す光が照射されると、表示素子に情報をあらわす光画像が書き込まれる。記録表示媒体に光が照射された領域は光スイッチング素子の抵抗が下がり、表示素子に高い電圧が印加されるため情報が書き込まれ、光が照射されない領域は、光スイッチング素子の抵抗が変化せずに維持され、表示素子に高い電圧が印加されないため情報が書き込まれない。
【００１８】
上述した記録表示媒体のほか、マトリックスタイプの記録表示媒体でありながら、電力供給用コイルを含む電源回路、駆動回路、およびデータ送受信回路を媒体側に備え、電磁誘導作用により電力を供給するとともに、表示素子に表示する情報をあらわすデータを無線により送受するものもある。
【００１９】
【特許文献１】
特開平２０００−３４７２２５号公報（段落番号００２０〜段落番号００２２、図２〜図５）
【特許文献２】
特開平０４−０７３６１５号公報（実施例、図１、図３、図５）
【特許文献３】
特開平１０−５２９７３号公報（段落番号００４６、図３）
【特許文献４】
特許文献４特開平４−９９６４（実施例、図１〜図３）
【非特許文献１】
ＳＩＤ　０１　ＤＩＧＥＳＴ（ｐｐ３６２−３６５）
【非特許文献２】
ＪＡＰＡＮ　Ｈａｒｄｃｏｐｙ　’９６　Ｆａｌｌ　Ｍｅｅｔｉｎｇ（ｐｐ２５−２８）
【００２０】
【発明が解決しようとする課題】
しかしながら、上述する記録表示媒体は、表示素子に書き込みを行う場合に次のような問題がある。
【００２１】
すなわち、多数の記録表示媒体に情報を書込み、その記録表示媒体を書込み装置から切り離して、携行しようと思っても、多数の記録表示媒体に、すばやく情報を書き込むとともに、同じ記録表示媒体に異なる情報を何度でも繰り返し書き込むことが可能な、高信頼性の書き込み手段が実現されていないということである。
【００２２】
特許文献１に開示されているように、複数のマトリックスタイプの記録表示媒体をコネクタに接続し、書込み装置から、順次あるいは同時に書き込みを行うことが考えられる。その方法によれば、短い時間でコネクタに接続することができれば、接続された全ての記録表示媒体に極めて短時間で書き込みを行なうことができる。しかし、コネクタを書込み装置に取り付けるメカニズムが複雑になる他、記録表示媒体を繰り返し使用するのに伴って、コネクタに接続する回数が多くなるので、コネクタ接点の信頼性を確保することが難しい。
【００２３】
無電極タイプの記録表示媒体を用いるヘッド書込み型書込み装置は、記録表示媒体を搬送しながら情報を書き込むので、記録表示媒体の搬送手段を高速化することにより、情報を短時間に書き込むことが可能である。また、熱により情報を書き込むサーマルヘッドは、マトリックスタイプの記録表示媒体に情報を書き込む手段に較べて構造が簡素であり、コスト的にも安くできるという利点もある。しかし、サーマルヘッドは、記録表示媒体に直接接触するため、繰り返し記録表示媒体を使用する間に、記録表示媒体に付着していた埃などがサーマルヘッドに転移し、それが原因となって記録表示媒体にスジなどが書き込まれる、書き込みムラを発生させるという問題がある。また、記録表示媒体がサーマルヘッドと接する面に、表示素子を保護するのに十分な厚みの保護膜あるいは保護シートを介在させることは、原理的に困難であることから、サーマルヘッドに付着したごみなどにより、記録表示媒体の表示素子そのものが損傷を受ける恐れがある。
【００２４】
また、１電極タイプの記録表示媒体を用いるヘッド書込み型書込み装置は、一般に、ヘッドと記録表示媒体の電極との間に電圧を印加し、表示素子に情報を記録するものであり、前述したヘッド書込み型書込み装置と同様の問題がある。
【００２５】
これに対し、光書き込みタイプの記録表示媒体は、マトリックスタイプと較べて、電極数とは無関係に解像度を確保することができる上、電極が一対であることから、情報書き込みにおける信頼性を確保し易い。また、書込み手段が記録表示媒体に接触することがないため、記録表示媒体の汚れが、書き込み装置側に転移し、その転移した汚れが別の記録表示媒体に悪影響を与えることがないことから、情報書き込みにおける信頼性を確保し易い。さらに、書込み手段から記録表示媒体へのデータ転送がなされないため、データによる駆動機能を記録表示媒体内に設ける必要もない。
【００２６】
特に、光スイッチング素子を用いる、我々が発明した光書き込み型記録表示媒体は、印刷プロセスを用いて製造することが可能で、量産化が容易であることから、コスト的にも有利である。
【００２７】
しかしながら、複数の光書き込み型記録表示媒体に画像を書き込むためには、非特許文献１に記述されているような、この光書き込み型記録表示媒体をディスプレイや露光パネル上に載せて画像を書き込み、書き込まれた後に書込み装置から取り外す方法では、記録表示媒体一枚毎にその操作を繰り返す必要があることから高速化が困難であるという課題がある。
【００２８】
さらに、情報記録媒体と光スイッチング層とを積層する情報記録部を設け、これにプリント情報を光スイッチング層に供給する手段と移送排出する手段を備えたプリンタで高速プリントを行う、特許文献４に開示されている方法では、情報記録媒体と光スイッチング層とが切り離される構成を採っているため、書き換え可能な回数は、光導電層の寿命に左右される。また、複数回使用した情報記録媒体に埃や汚れが付着すると、光スイッチング層との間に余分なスペースが形成されて電気的ロスとなる上、埃や汚れ自身の電気的特性により適正な電圧が情報記録媒体に印加されなくなり、表示画像が劣化してしまうという問題がある。
【００２９】
これを回避するために、ある程度のスペースを設けることもできるが、スペースを維持する手段や、高圧の駆動手段が必要となるため、装置が高価になるばかりでなく、省エネの観点からも実用的でない。
【００３０】
本発明は、上記の事情に鑑み、書き換えることにより繰り返し利用することができる複数の記録表示媒体に、連続的に、高速で画像を書き込むことができるとともに、書き込んだ画像表示の信頼性が高い画像書込装置を提供し、併せてその画像書込装置に用いる光書込みタイプの記録表示媒体を提供することを目的とする。
【００３１】
【課題を解決するための手段】
上記の目的を達成する本発明の画像書込装置は、対向する電極間に画像が不揮発的に表示される表示層が挟まれてなる記録表示媒体を搬送する搬送部と、前記記録表示媒体の前記電極に電気的に接触する接触部と、前記電極が前記接触部に接触した前記記録表示媒体の前記表示層に画像を書き込む書込部とを備えたことを特徴とする。
【００３２】
このように、搬送部で連続して搬送するとともに、搬送した記録表示媒体に接触部が電気的に接触し、書込部が画像を書き込むので、複数の記録表示媒体に連続的に高速で画像を書き込むことができる。
【００３３】
この場合、記録表示媒体がマトリクス電極を有するタイプのときは、マトリクス電極のうちの走査電極に接触する接触部と複数のデータ電極に接触する接触部とを設け、それらの接触部が接触するマトリクス電極の画素に書込部から送られた画像をあらわす電気信号に基く画像を、記録表示媒体を搬送しながら書き込むことができる。また、記録表示媒体が１対の電極を有する光書き込みタイプのときは、所定の書き込み位置に搬送された記録表示媒体を、接触部および書き込み部に対し相対的に静止させ、接触部から１対の電極に書き込み電圧を印加するとともに、書込部から画像を表す光を照射して瞬間的に画像を書き込み、画像が書き込まれたら再び記録表示媒体を搬送することができる。この光書き込みタイプの記録表示媒体は、横方向のみならず上下方向に搬送することによっても、相対的に静止させ、画像を書き込むことができる。
【００３４】
上記の目的を達成する第１の発明の記録表示媒体は、対向する一対の基板それぞれの内面に形成された電極間に、画像を表す表示層と光の照射により抵抗値が変化する光スイッチング層とが積層されてなる記録表示媒体であって、
上記一対の基板の何れか一方の外面に、上記電極に導通する接触端子を有するものであることを特徴とする。
【００３５】
また、上記の目的を達成する第２の発明の記録表示媒体は、対向する一対の基板それぞれの内面に形成された電極間に、画像を表す表示層と光の照射により抵抗値が変化する光スイッチング層とが積層されてなる記録表示媒体であって、
上記一対の基板それぞれの外面に、上記電極に導通する接触端子を有するものであることを特徴とする。
【００３６】
このように、表示層と光スイッチング層とが電極間に積層された光書き込みタイプの記録表示媒体の一対の基板の何れか一方の外面又は一対の基板それぞれの外面に、電極に導通する接触端子を設けてあるので１対の電極に容易に電圧を印加することができる。
【００３７】
この場合、接触端子の位置は、記録表示媒体に画像を書き込むために画像書き込み装置にセットして横方向に搬送するときの搬送方向後側に設けると、記録媒体を姿勢制御する上で有利である。さらに、その搬送方向後側の、左右対称な位置に設けると、記録媒体を姿勢制御する上でより有利になる。
【００３８】
【発明の実施の形態】
以下に、本発明の実施形態について説明する。
（第１の実施形態）
第１の実施形態は、マトリックス電極を有する記録表示媒体を搬送しながら画像を書き込む方式である。
【００３９】
図２は、第１の実施形態の画像書き込み装置を示す概略構成図である。
【００４０】
図２に示す画像書き込み装置は、画像を書き込む記録表示媒体が収納された格納トレイ１０と、格納された記録表示媒体７を１枚ずつ引き出すフィードロール１１と、フィードロール１１により引き出された記録表示媒体７を搬送する搬送ロール１２と、搬送ロール１２により搬送された記録表示媒体７の先端をプロセス方向に交わる軸方向に一致させる姿勢制御部１３と、記録表示媒体７に画像を書き込むステージ２１と、ステージ２１を通過する記録表示媒体７のマトリックス電極に接触する複数の接触ロール２３と、画像が書き込まれた記録表示媒体７を排出する排出ロール１５と、画像が書き込まれた記録表示媒体７を収容する排出トレイ１７とを備えている。
【００４１】
また、本実施形態の画像書き込み装置は、フィードロール１１、搬送ロール１２、姿勢制御部１３、排出ロール１５それぞれを駆動制御するメカプロセス制御部３１と、複数の接触ロール２３それぞれに画像を書き込む駆動信号を制御する書き込み制御部３２と、格納トレイに格納された記録表示媒体を１枚ずつ引き出してから、画像を書き込んで排出するまでの一連のプロセスを、メカプロセス制御部３１および書き込み制御部３２それぞれの制御タイミングを調整することにより制御するプロセス制御部３３と、記録表示媒体に書き込む画像情報を、ネットワークを介して入力する場合の接続制御を行うネット接続制御部３４とを備えている。
【００４２】
例えば、ネット接続制御部３４を介して記録表示媒体に書き込む画像情報が入力されると、プロセス制御部３３は、メカプロセス制御部３１による制御動作をスタートさせるとともに、入力された画像情報を書き込み制御部３２に送る。メカプロセス制御部３１は、フィードロール１１、搬送ロール１２、および排出ロール１５を回転させ、格納トレイ１０に格納されている記録表示媒体７が１枚引き出される。引き出された記録表示媒体７は、搬送ロール１２で搬送される。このとき、メカプロセス制御部３１は、姿勢制御部１３のゲートを閉じるので、記録表示媒体７の先端は、プロセス方向に交わる軸方向に一致する。記録表示媒体７の姿勢が整うと、プロセス制御部３３は、書き込み制御部３２による書き込み制御をスタートさせ、姿勢制御部１３は、ゲートをすぐに開けるので、記録表示媒体７はステージ２１に搬送される。ステージ２１に搬送された記録表示媒体７は、そのマトリックス電極が複数の接触ロール２３と接触しながらプロセス方向に進み、接触ロール２３それぞれは、書き込み制御部３２から画像をあらわす信号が送られるので、記録表示媒体７のマトリックス電極によって形成される各画素には、順次画像が書き込まれる。画像が書き込まれた記録表示媒体７は、先端が排出ロール１５に達すると、排出ロール１５により排出トレイ１７に送られる。
【００４３】
以下、必要な枚数分同様な動作が繰り返され、排出トレイ１７には、複数の記録表示媒体７が積み重ねられる。
【００４４】
本実施形態では、格納トレイ１０に格納された記録表示媒体７を１枚ずつ引き出す給紙機構としてフィードロール１１を用いているが、給紙機構はフィードロール１１に限定する必要はなく、例えば次のような機構を用いることができる。
【００４５】
図３は、給紙機構の他の例を示す図である。
【００４６】
図３（ａ）に示す給紙機構は、ロールが半月状をなし、半月ロール１１ａが回転したときに、半月ロール１１ａのエッジが記録表示媒体７に接触した摩擦力で給紙するもので、格納トレイ１０のコーナセパレータ１０ａの抵抗力より１枚目に作用する摩擦力が大きくなったときに記録表示媒体７が引き出され送出されるタイプのものである。
【００４７】
図３（ｂ）に示す給紙機構は、記録表示媒体７を給紙する円形のフィードロール１１と前進阻止部材であるリタードパッド１１ｂとを組み合わせたもので、フィードロール１１とリタードパッド１１ｂの間に入った２枚の記録表示媒体７を摩擦係数の差に基づいて１枚だけ送出するタイプのものである。
【００４８】
図３（ｃ）に示す給紙機構は、フィードロール１１とリタードロール１１ｃに記録表示媒体７を引き出すピックアップロール１１ｄが付加されたもので、フィードロール１１よりもリタードロール１１ｃを遅く回転させることによりピックアップロール１１ｄで引き出された２枚の記録表示媒体７を摩擦係数の差に基づいて１枚だけ送出するタイプのものである。
【００４９】
図３（ｄ）に示す給紙機構は、図示しないノズルからエアを記録表示媒体７の先端部に吹き付けて先端部を浮き上がらせ、ベルトに備えるバキュームプレナムで吸引してバキュームフィードベルト１１ｅで送出すタイプのものである。
【００５０】
また、本実施形態では、記録表示媒体７を搬送する搬送部としてゴムなどが巻きつけられた搬送ロール１２を用いているが、搬送部には、静電的に記録表示媒体７を固定するベルト、あるいはバキュームなどの吸着機構を備えたベルト、および記録表示媒体７先端を挟んで搬送するグリッパー機構等を用いることもできる。なお、搬送ロール１２により記録表示媒体７を搬送する場合、記録表示媒体媒体７の膜厚および摩擦係数が異なる場合があるため、これらによりスキューが生じないようにその影響を吸収する機構を設けることができる。
【００５１】
また、本実施形態の姿勢制御部では、以下の何れかの方式を用いることができるがもちろん、これらに限定されるものではなく、スキューが生じないようにその影響を吸収する機構であれば適用可能である。
【００５２】
図４は、搬送される記録表示媒体の姿勢を調整する方式を示す図である。
【００５３】
図４（ａ）に示すゲートループ方式は、テイクアウエイロール１３ｃからレジロール１３ａに記録表示媒体を搬送する搬送路のレジロール１３ａ直前に、表示記録媒体の先端位置を一致させるゲート１３ｂが設けられており、このゲート１３ｂを開閉することにより表示記録媒体の姿勢を調整する。
【００５４】
図４（ｂ）に示すロールループ方式は、テイクアウエイロール１３ｃからレジロール１３ａに記録表示媒体を搬送する場合の、レジロール１３ａの回転を一瞬止めるか、あるいは遅くすることにより、レジロール１３ａに侵入した表示記録媒体の先端位置を一致させ表示記録媒体の姿勢を調整する。
【００５５】
図４（ｃ）に示すゲートスリップ方式は、スリップロール１３ｄからレジロール１３ａに記録表示媒体を搬送する搬送路の中間に、表示記録媒体の先端位置を一致させるゲート１３ｂが設けられており、このゲート１３ｂを開閉することにより表示記録媒体の姿勢を調整する。
【００５６】
図５は、本実施形態に用いる記録表示媒体のマトリックス電極に複数の接触ロールが接触する状態を示す図である。
【００５７】
図５に示す記録表示媒体は、複数の走査電極６とその走査電極８と直交する複数のデータ電極９とからなる透明電極それぞれが設けられた一対の基板間に、例えばコレステリック液晶が挟持されている。そして、走査電極８とデータ電極９とのクロスポイントが、記録表示媒体に情報が書き込まれる１つの画素を構成している。
【００５８】
格納トレイに上側を向けて格納される記録表示媒体の基板表面、プロセス方向の側端には切り込み部が設けられ、複数の走査電極８が露出しているので、記録表示媒体がプロセス方向に進行すると１つのスキャンデータ書き込み用接触ロール２３ａが各走査電極８に電気的に順次接触する構造となっている。
【００５９】
また記録表示媒体の基板表面の、走査電極８が露出している側端とは反対側の側端には、記録表示媒体の下側の基板に形成されたデータ電極９それぞれと導通する接触端子６が、プロセス方向に並行に複数設けられるので、記録表示媒体がプロセス方向に進行すると、接触端子６に対応して複数備えるデータ書き込み用接触ロール２３ｂが各データ電極に電気的に接触する構造となっている。
【００６０】
ここで、複数の走査電極８が露出している切り込み部に接触するスキャンデータ書き込み用接触ロール２３ａが、１つである必要はなく、間隔を開けて複数設けてもよい。また、基板の外面に設けた接触端子６は、基板の片側に設けてもよいし、両側に設けてもよい。
【００６１】
記録表示媒体を形成する各構成要素に用いる材料として、以下のようなものを用いることができる。
【００６２】
基板には、ガラスや、ポリカーボネート、ポリエチレンテレフタレート、ポリエーテルスルフォンなどの透光性誘電体を用いることができる。
【００６３】
走査電極８やデータ電極９には、ＩＴＯ、ＳｎＯ２、ＺｎＯ、Ａｌ等の導電性酸化物や、ポリピロールやポリアニリン等の導電性樹脂など透光性導電部材を用いることができる。
【００６４】
コレステリック液晶には、シアノビフェニル系、フェニルシクロヘキシル系、フェニルベンゾエート系、シクロヘキシルベンゾエート系、アゾメチン系、アゾベンゼン系、ピリミジン系、ジオキサン系、シクロヘキシルシクロヘキサン系、スチルベン系、トラン系など公知のネマチック液晶組成物に、コレステロール誘導体や２−メチルブチル基などの光学活性基を有する化合物等からなるカイラル剤を添加したものを用いることができる。
【００６５】
各接触ロール２３には、例えば書き込み制御部３２からパルス信号が入力され、スキャンデータ書き込み用接触ロール２３ａからプラスのパルス信号が入力されるとともにデータ書き込み用接触ロール２３ｂからマイナスのパルス信号が入力された画素に、１ビットの情報が書き込まれるようになっている。
【００６６】
ここで、書き込み時間を、例えば走査電極８１本につき１００ｍｓにすること、記録表示媒体の画素数は、プロセス方向に８０ドット、プロセス方向と交わる方向に６０ドット形成することができる。
【００６７】
このように、記録表示媒体のマトリックス電極が、プロセス方向に進行するのに伴って接触ロール２３と接触するように構成されているので、記録表示媒体に高速度で情報を書き込むことができる。また、マトリックス電極をコネクタと接続する場合に較べて、電気的接触の信頼性が向上する。
【００６８】
次に、第２の実施形態について説明する。
（第２の実施形態）
第２の実施形態は、光書き込み型の記録表示媒体に光を照射して画像を書き込む方式であり、本発明の画像書込装置の第２の実施形態に相当するとともに、第２の実施形態で用いる電子ペーパは、第２の発明の記録表示媒体の実施形態に相当する。
【００６９】
図６は、第２の実施形態の画像書き込み装置を示す概略構成図である。
【００７０】
本実施形態の画像書き込み装置は、第１の実施形態の画像書き込み装置と異なり、電子ペーパ全面に光を照射して画像を書き込む必要があることから、電子ペーパを静止させる記録表示媒体静止部と、静止した電子ペーパがカールするのを防止するカール防止部と、電子ペーパ全面に形成された一対の電極に電圧を印加する電気接触部と、静止した電子ペーパ全面に画像をあらわす光を照射する光書き込み画像照射部とを備えている。しかし、格納トレイ、搬送ロール、姿勢制御部、ステージ、排出ロール、排出トレイは、第１の実施形態の画像書き込み装置に備えるものと共通するので、同一の構成要素には同一の符号を付し、相違する構成要素について説明する。
【００７１】
図６に示す画像書き込み装置は、格納トレイ１０と、フィードロール１１と、搬送ロール１２と、姿勢制御部１３と、ステージ２１と、ステージ上に電子ペーパが到達すると、その電子ペーパを所定の位置に静止させる記録表示媒体静止部２４と、所定の位置に静止した電子ペーパがカールするのを防止するカール防止部２５と、電子ペーパの表裏の基板面に設けられた“窓”を介して一対の電極に接触し、一対の電極間に電圧を印加する電気接触部２６と、所定の位置に静止している電子ペーパ全面に画像をあらわす光を照射する光書き込み画像照射部２７と、画像が書き込まれた電子ペーパを排出する排出ロール１５と、排出トレイ１７とを備えている。
【００７２】
ここで、電子ペーパがカールするのを防止するカール防止部２５としては、例えば、透明ガラス基板か透明プラスチック基板により、電子ペーパを押さえつける方式が有効であり、押さえつけとリリースの駆動機構としては、ソレノイドコイルやピエゾなどの歪素子等を用いることができる。
【００７３】
このようにカール防止部を設けるのは、電子ペーパは、電圧の印加と光の照射により表示層全体に瞬時に画像を書き込むものであり、電子ペーパにソリや変形があると、光スイッチング層に照射される光に、光量むらが生じ、これにより書き込まれた画像にボケが生じるのを回避するためである。
【００７４】
また、本実施形態の画像書き込み装置は、フィードロール１１、搬送ロール１２、姿勢制御部１３、記録表示媒体静止部２４、カール防止部２５、排出ロール１５それぞれを駆動制御するメカプロセス制御部３１と、電気接触部２６から電子ペーパ複数の一対の電極間に電圧を印加するタイミングや、印加電位を制御する書き込み制御部３２と、光書き込み画像照射部２７に所定の光画像を表示させたり、画面の明るさを制御する光書き込み画像照射制御部３５と、格納トレイ１０に格納された電子ペーパを１枚ずつ引き出してから、画像を書き込んで排出するまでの一連のプロセスを、メカプロセス制御部３１、書き込み制御部３２および光書き込み画像照射制御部３５それぞれの制御タイミングを調整することにより制御するプロセス制御部３３と、電子ペーパに書き込む画像情報を、ネットワークを介して入力する場合の接続制御を行うネット接続制御部３４とを備えている。
【００７５】
本実施形態では、メカプロセス制御部３１は、電子ペーパがステージ２１上に搬送されるように搬送ロールを制御するとともに、搬送された電子ペーパがステージ２１上で静止するように記録表示媒体静止部２４を制御する。そして、光書き込み画像照射制御部３５は、静止した電子ペーパに画像をあらわす光が照射されるように光書き込み画像照射部２７を制御するとともに、書き込み制御部３２は、１対の電極に書き込み電圧が印加されるように接触部２３を制御し、電子ペーパに画像を書き込んでいる。
【００７６】
しかし、光書き込み画像照射部２７および接触部２３が、電子ペーパと同一の速度、同一の方向に移動し、電子ペーパを相対的に静止させることによっても、電子ペーパに画像を書き込むことができる。
【００７７】
なお、電子ペーパを静止させるときは、電子ペーパを姿勢制御することが望ましい。
【００７８】
次に、本実施形態に用いられる光書き込み型電子ペーパ（以下、「電子ペーパ」と称する。）について説明する。
【００７９】
図７〜図９は、第２の実施形態に用いられる電子ペーパを示す概略図であり、図７（ａ）、図８（ａ）、および図９（ａ）は、平面図であり、図７（ｂ）は、プロセス方向の側面から見た断面図であり、図８（ｂ）および図９（ｂ）は、プロセス方向の背面から見た断面図である。
【００８０】
図７および図８に示す電子ペーパは、一対の基板２の内面に電極４が形成され、その一対の電極４間に、画像が書き込まれる表示層１と照射光量により抵抗値が変化する光スイッチング層５とが積層された構造を有し、一対の電極４間に電圧を印加すると共に、光スイッチング層５に画像を表わす光が照射されると表示層１に画像が書き込まれる。
【００８１】
ここで、基板２には、ＰＥＴやＰＥＳなどを用いることができ、電極４のほかに、水やガスの浸入を防止するバリア膜などの機能膜を形成してもよい。
【００８２】
透明な電極には、ＩＴＯやＳｎＯ２などを用い、非透明な電極には、ＡｌやＡｕなどの金属を用いることができる。
【００８３】
表示層１には、メモリ性のある表示素子なら適用可能であり、例えば、コレステリックや強誘電液晶のような液晶や、ＰＤＬＣやカプセル化によりメモリ性が少ないかあるいは全く無い表示素子に添加剤を付加してメモリ性を持たせた素子が用いられる。
【００８４】
また、光スイッチング層５としては、アモルファスシリコン素子や有機光スイッチング素子が適用可能である。有機光スイッチング素子としては、電荷輸送性能と電荷発生機能とを有する単層型、電荷発生と電荷輸送を機能分離した二層型、さらに、電荷発生層／電荷輸送層／電荷発生層と順次積層し、交流駆動可能な構造のものが適用可能である。
【００８５】
一対の基板２および基板それぞれに形成された電極４は、ともに透明である。ただし、光スイッチング層側は、光スイッチングに用いる波長に対して透明性があれば良い。表示層と光スイッチング層は最小の構成であり、例えば、表示層と光スイッチング層の間に遮光層や隔離層、あるいはラミネート層を積層してもよい。
【００８６】
本実施形態の用いる電子ペーパは、一対の基板のプロセス方向側端部には長方形の接触端子（以下、“窓”と呼ぶ。）が設けてあり、その“窓”４ａにより、反対側の基板に形成された電極と電気的に接触することができる。“窓”４ａは、図７に示す電子ペーパにおいては、一方の側端部のプロセス方向の後部側にわずかに位置をずらして２つ設けてあり、図８の電子ペーパにおいては、プロセス方向の後部側、両側端部の対称な位置に１つずつ設けてある。
【００８７】
ここで、“窓”４ａは、基板２に設けた開口そのものであってもよいし、電極４を保護するため開口の全部または一部を導電性部材で被覆した構造のものであってもよいが、導電性部材で被覆して機械的強度を確保するとともに、電気接触部との接触抵抗を抑制することが好ましい。
【００８８】
これらの“窓”４ａに、電気接触部が電気的に接触することにより、電子ペーパの１対の電極４間に電圧が印加される。
【００８９】
図９に示す電子ペーパは、一対の基板の内面に電極４が形成され、その一対の電極４間に、閾値が異なる２種類のコレステリック液晶をカプセル化した２つの表示層１と照射光量により抵抗値が変化する光スイッチング層５とが積層された構造を有し、一対の電極４間に電圧を印加すると共に、光スイッチング層５に画像を表わす光が照射されると表示層１に画像が書き込まれる。
【００９０】
光スイッチング層５としては、アモルファスシリコン素子や有機光スイッチング素子が適用可能である。有機光スイッチング素子としては、電荷輸送性能と電子輸送性能と電荷発生機能を有する単層型、電荷発生と電荷輸送を機能分離した二層型、さらに、電荷発生層／電荷輸送層／電荷発生層と順次積層し、交流駆動可能な構造のものが適用可能である。
【００９１】
本実施形態に用いる電子ペーパは、一対の基板２のプロセス方向、それぞれの基板の側端部の一方が対向する基板２と重ならないようにずらして配置されており、電子ペーパの側端部でそれぞれの電極４と接触することができる構造になっている。
【００９２】
図１０は、電子ペーパの１対の電極間に電気接触部から電圧が印加される状態を示す模式図であり、図１０（ａ）は、電気接触部がロールである場合、図１０（ｂ）は、電気接触部がブラシである場合、図１０（ａ）は、電気接触部がパッドである場合の例をそれぞれ示している。
【００９３】
図１０に示すように、電気接触部２６は“窓”４ａを介して電極４と接触するので、電子ペーパに電圧を印加することができる。図７に例示した電子ペーパは、一方の側端部にわずかに位置をずらして“窓”４ａが設けてあるので、電気接触部２６は、その“窓”４ａの間隔にあわせて、同じ側に位置をずらして配置される。また、図８に例示した電子ペーパは、両側の側端部に対称に“窓”４ａが設けてあるので、電気接触部２６は、その“窓”４ａの位置にあわせて、両側に対称に配置される。
【００９４】
電気接触部２６には、導電性ロール、導電性ブラシ、導電性パッド等を適用することができるほか、フレキシブルな金属電極を適用することもできる。また、電気接触部２６が“窓”４ａに接触する面の反対側にも、ロールやパッドなどを設けることができる。ロールを用いる場合は、“窓”４ａとそれ以外の基板２部分との間に段差ができる場合があるため、スキュー等が発生しないように、この段差を吸収する機構を電極と接触する側、あるいは反対側に設けるとよい。
【００９５】
本実施形態の電子ペーパの電極に電圧を印加する書き込み制御は、電気接触部２６に電気的に接触する電子ペーパの電極４に画像を書き込む駆動電圧を印加することにより行う。
【００９６】
駆動電圧は、メモリされた波形を読み出して、増幅することにより生成してもよいし、共振回路などで発生させた電圧波形をゲートを通すことにより、期間とタイミングを調整して生成してもよいし、スイッチングレギュレータなどによりＤＣ電圧をスイッチングして矩形波を生成してもよい。通常、１〜１ＫＨｚまでの周波数を含む正負の矩形波で、１０〜２０００Ｖｐｐ程度の電圧が用いられる。また、用いる電子ペーパ媒体によってバイアスが印加されていてもかまわないし、矩形パルスでなく、三角波や正弦波形でもかまわない。印加するパルス数はワンショットでもかまわないし、複数でもかまわない。また、たとえば電圧がそれぞれ異なる矩形波のような異なる複数のパルス、を組み合わせてもかまわない。
【００９７】
また、本実施形態の光書き込み画像照射制御は、光書き込み画像照射部に光画像を表示するタイミングや明るさなどを調整するものであり、光書き込み画像照射部には、デジタルデータを光画像として出力可能なものであれば用いることが可能であり、例えば、透過型ＴＦＴ駆動ＬＣＤ、無機又は有機ＥＬディスプレイ、ＣＲＴ、ＶＦＤ、プラズマディスプレイ、プロジェクタ等がある。
【００９８】
なお、本実施形態では、密着型の光書き込み画像照射部を用いているが、投影型の光書き込み画像照射部を用いることもできる。
【００９９】
図１１は、本実施形態の画像書き込み装置により、電子ペーパに画像を書き込むフローチャートを示す図である。
【０１００】
図１１において、例えば、ネット接続制御部を介して電子ペーパに書き込む画像情報が入力されると、プロセス制御部は、メカプロセス制御部による制御動作をスタートさせるとともに、入力された画像情報を光書き込み画像照射制御部に送る。メカプロセス制御部は、フィードロール、搬送ロール、および排出ロールを回転させ、格納トレイに格納されている電子ペーパが１枚引き出される（Ｓ−１）。
【０１０１】
引き出された電子ペーパは、搬送ロールで搬送される。このとき、メカプロセス制御部は、姿勢制御部のゲートを閉じるので、電子ペーパの先端は、プロセス方向に交わる軸方向に一致する。電子ペーパの姿勢が整うと、プロセス制御部は、光書き込み画像照射制御部と書き込み制御部の制御動作をスタートさせ、姿勢制御部は、ゲートをすぐに開くので、電子ペーパはステージに搬送される（Ｓ−２）。
【０１０２】
ステージに搬送された電子ペーパを、記録表示媒体静止部が所定の位置で停止させる（Ｓ−３）。
【０１０３】
カール防止部は、所定の位置に停止した電子ペーパを光書き込み画像照射部に密着させ、電子ペーパのカールを抑止し、書き込み制御部は、電気接触部から電子ペーパの一対の電極間に電圧を印加させ、光書き込み画像照射制御部は、光書き込み画像照射部から電子ペーパに画像を書き込む光を照射させて画像を書き込む（Ｓ−４）。
【０１０４】
ここで、書き込み制御部は、電気接触部が電極に接触したのと同時か、それより遅れて、駆動パルスを印加させ、光書き込み画像照射制御部は、駆動パルスが印加されるのと同時か、駆動パルスが印加される前に、光書き込み画像照射部から電子ペーパに光を照射させ、駆動パルスの印加終了と同時か、あるいは駆動パルスの印加終了後に、所定の時間照射後、光の照射を停止することができる。
【０１０５】
光書き込み画像照射部に、例えば、画素数が８００×６００ドットのＴＦＴ駆動モノクロＬＣＤを用いた場合、電子ペーパ１枚に１００ｍｓで画像を書き込むことができる。
【０１０６】
画像が書き込まれると、カール防止部は、光書き込み画像照射部に密着した状態の電子ペーパを、その密着状態から解放し、記録表示媒体静止部はゲートを開くので、電子ペーパは搬送ロール、および排出ロールにより排出トレイに排出される（Ｓ−５）。
【０１０７】
以下、必要な枚数分同様な動作が繰り返され、排出トレイには、複数の電子ペーパが積み重ねられる。
【０１０８】
このように、光書込みタイプの電子ペーパ（電子ペーパ）を一旦静止させて画像を書き込めばボケのない画像を書き込むことができる。また、電子ペーパを繰り返し使用する間にカールが生じても、光書き込み画像照射部に密着させてから画像をあらわす光を照射するので鮮明な画像を書き込むことができる。
【０１０９】
次に第３の実施形態について説明する。
（第３の実施形態）
第３の実施形態は、本発明の画像書込装置の第３の実施形態に相当するとともに、第３の実施形態で用いる電子ペーパは、第１の発明の記録表示媒体の実施形態に相当する。
【０１１０】
第３の実施形態は、光スイッチング層を上向きにして格納トレイに収納された電子ペーパを、格納トレイ上部にある接触部に常時接触させておき、格納トレイ上部から光学系を用いて電子ペーパの光スイッチング層に結像させて画像を書き込む方式である。本実施形態は、光学系、および画像が書き込まれた電子ペーパを排出トレイに排出するピックアップロールを備えるが、フィードロール、姿勢制御部は備えていない点および電子ペーパの“窓”（接触端子）が上側の基板にのみ形成されている点は第２の実施形態と相違するが、それ以外は共通するので、同一構成要素には同一の符号を付し、説明は省略する。
【０１１１】
図１２は、第３の実施形態の画像書込装置を示す概略構成図であり、図１２（ａ）は、正面をあらわし、図１２（ｂ）は、平面をあらわしている。
【０１１２】
図１２（ａ）に示すように画像書込装置は、格納トレイ１０と、格納トレイ１０に収容された電子ペーパ全体を上方に押し上げる搬送部１４と、格納トレイ１０の最上部の電子ペーパが電気接触部２６に接触する位置で、電子ペーパを静止させるとともに、静止した電子ペーパのカールを矯正する静止部を兼ねるカール防止部３０と、電子ペーパ上側の基板面に設けられた“窓”を介して一対の電極に接触し、一対の電極間に電圧を印加する電気接触部２６と、静止している電子ペーパに画像をあらわす光を照射する光書き込み画像照射部２７と、光書き込み画像照射部２７から照射された画像をあらわす光を電子ペーパの光スイッチング層に結像させる光学系２７ａと、画像が書き込まれた電子ペーパを排出するピックアップロール２８と、画像が書き込まれた電子ペーパを収容する排出トレイ１７とを備えている。
【０１１３】
本実施形態では、光書き込み画像照射部に解像度８００×６００のＴＦＴ型のＬＣＤを用い、電子ペーパ１枚に４色カラーの画像を２００ｍｓで書込みことができる。
【０１１４】
本実施形態の画像書き込み装置は、搬送部１４、静止部を兼ねるカール防止部３０、ピックアップロール２８それぞれを駆動制御するメカプロセス制御部３１と、電気接触部２６から電子ペーパの接触端子に電圧を印加するタイミングや、印加電位を制御する書き込み制御部３２とを有する。また、メカプロセス制御部３１および書き込み制御部３２の制御タイミングを調整するとともに、光書き込み画像照射部２７に所定の光画像を表示させたり、画面の明るさ調整を行なうプロセス制御部３３を有している。
【０１１５】
メカプロセス制御部３１は、搬送部１４を制御し、静止部を兼ねるカール防止部３０に向けて格納トレイ１０に収納された電子ペーパ全体を一定の押圧力で常時押圧するので、格納トレイ１０最上部に収納された電子ペーパは、電気接触部２６に常時接触している。プロセス制御部３３は、電気接触部２６に常時接触している電子ペーパに画像を書き込むとともに排出トレイ１７に排出する一連のプロセスを制御している。
【０１１６】
図１２（ｂ）に示すように、格納トレイ１０の最上部に収納された電子ペーパは、静止部を兼ねるカール防止部３０に押圧されており、側端部には接触端子が２つある。電子ペーパのプロセス方向の先端部はピックアップロール２９が接触している。格納トレイ１０よりもプロセス方向の下流側に、排出ロール１５と、排出トレイ１７が配置されている。
【０１１７】
このように、本実施形態の画像書込装置は、ＬＣＤやＥＬなどのライトバルブからの出力を、レンズ等の光学系を介して光スイッチング素子に結像するので、被写界深度が深く、電子ペーパが多少変形していても良好な画像を得ることができる。
【０１１８】
ここで、本実施形態の画像書込装置は、光スイッチング層を上向きにして格納トレイに収納された電子ペーパに、格納トレイ上部から光学系を用いて電子ペーパの光スイッチング層に結像させて画像を書き込んでいるが、光スイッチング層を下向きにして格納トレイに収納された電子ペーパに格納トレイ下部から光学系を用いて電子ペーパの光スイッチング層に結像させて画像を書き込むこともできる。また、格納トレイ上部から、光学系２７ａに代えて例えばレンズアレイなど指向性を有する光学系を用いて、光スイッチング層に光を照射することもできる。
【０１１９】
図１３は、本実施形態に用いる電子ペーパの一例の平面を示す図である。
【０１２０】
図１３（ａ）に示す電子ペーパは、プロセス方向の先端両側に接触端子があり、図１３（ｂ）に示す電子ペーパは、プロセス方向の後端両側に接触端子があり、図１３（ｃ）に示す電子ペーパは、プロセス方向の後部側端に接触端子がある。
【０１２１】
電子ペーパに接触端子が形成されると、その部分は周辺よりも厚くなるため、電子ペーパを搬送するときに電子ペーパの姿勢のばらつきが大きくなる。そこで、プロセス方向の後端に接触端子４ａを設けることが好ましく、両側に対称に設けることがより好ましい。
【０１２２】
さらに、電子ペーパを、格納トレイに多数重ねたときに、電子ペーパ相互がくっついたままピックアップロールで排出されるのを防止するため、電子ペーパ表面にポリエステル層を被覆することが好ましい。
【０１２３】
【発明の効果】
本発明の画像書込装置によれば、書き換えることにより繰り返し利用することができる、マトリクス電極を有するタイプの複数の記録表示媒体、および光書き込みタイプの複数の電子ペーパに、連続的に、信頼性の高い情報を高速で書き込むことができる。また、本発明の電子ペーパによれば、外面に、電極に導通する接触端子を有するので、搬送する途中で電子ペーパの電極に書込み電圧を印加することが容易である。
【図面の簡単な説明】
【図１】電極により分類した記録表示媒体のタイプを示す図である。
【図２】第１の実施形態の画像書き込み装置を示す概略構成図である。
【図３】給紙機構の他の例を示す図である。
【図４】搬送される記録表示媒体の姿勢を調整する方式を示す図である。
【図５】本実施形態に用いる記録表示媒体のマトリックス電極に複数の接触ロールが接触する状態を示す図である。
【図６】第２の実施形態の画像書き込み装置を示す概略構成図である。
【図７】第２の実施形態に用いられる電子ペーパを示す概略図である。
【図８】第２の実施形態に用いられる電子ペーパを示す概略図である。
【図９】第２の実施形態に用いられる電子ペーパを示す概略図である。
【図１０】電子ペーパの１対の電極間に電気接触部から電圧が印加される状態を示す模式図である。
【図１１】本実施形態の画像書き込み装置により、電子ペーパに画像を書き込むフローチャートを示す図である。
【図１２】第３の実施形態の画像書込装置を示す概略構成図である。
【図１３】本実施形態に用いる電子ペーパの一例の平面を示す図である。
【符号の説明】
１　表示層
２　基板
３、４　電極
５　光スイッチング層
７　記録表示媒体
８　走査電極
９　データ電極
１０　格納トレイ
１０ａ　セパレータ
１１　フィードロール
１１ａ　半月ロール
１１ｂ　リタードパッド
１１ｃ　リタードロール
１１ｄ　ピックアップロール
１１ｅ　バキュームフィードベルト
１２　搬送ロール
１３　姿勢制御部
１３ａ　レジロール
１３ｂ　ゲート
１３ｃ　テイクアウエイロール
１４　搬送部
１５　排出ロール
１７　排出トレイ
２１　ステージ
２３　接触ロール
２３ａ　スキャンデータ書き込み用接触ロール
２３ｂ　データ書き込み用接触ロール
２４　記録表示媒体静止部
２５　カール静止部
２６　電気接触部
２７　光書き込み画像照射部
２７ａ　光学系
２８　ピックアップロール
３０　静止部を兼ねるカール防止部
３１　メカプロセス制御部
３２　書き込み制御部
３３　プロセス制御部
３４　ネット接続制御部
３５　光書き込み画像照射制御部
【図１】
2004109937.tif 000003
【図２】
2004109937.tif 000004
【図３】
2004109937.tif 000005
【図４】
2004109937.tif 000006
【図５】
2004109937.tif 000007
【図６】
2004109937.tif 000008
【図７】
2004109937.tif 000009
【図８】
2004109937.tif 000010
【図９】
2004109937.tif 000011
【図１０】
2004109937.tif 000012
【図１１】
2004109937.tif 000013
【図１２】
2004109937.tif 000014
【図１３】
2004109937.tif 000015